(57)【要約】      （修正有）【課題】内容物である紅参の状態を視覚的に確認できる紅参ケースを提供する。【解決手段】紅参ケース５００は、上部及び下部が開放され、中空の四角柱形状を有し、透明プラスチック材質を有する外部胴体１１０と、外部胴体の上部を閉鎖する上部金属板１２０と、外部胴体の下部を閉鎖する下部金属板１３０とを備え、外部胴体の上端及び下端が、上部金属板及び下部金属板の縁部分とシーミング結合されている構造の外部ケース１００と；内部に紅参を収容するための収容部を有し、一側が開放されている四角形状で備えられ、内部の各側面の上端部分にスライド溝を備える木材材質の内部胴体２１０と、両側面の縁部分にスライド溝に対応するスライド突起２２４を有し、スライド突起がスライド溝に挿入され、スライド方式で収容部を開閉しており、少なくとも一部に透明窓２２２が形成されている内部カバー２２０とを備え、外部ケースに挿入される構造の内部ケース２００とを備える。【選択図】図２
0003211480.tif 000002
【実用新案登録請求の範囲】
【請求項１】
紅参ケースであって：
上部及び下部が開放され、中空の四角柱形状を有し、透明プラスチック材質を有する外部胴体と、前記外部胴体の上部を閉鎖する上部金属板と、前記外部胴体の下部を閉鎖する下部金属板とを備え、前記外部胴体の上端及び下端が、前記上部金属板及び前記下部金属板の縁部分とシーミング（ｓｅａｍｉｎｇ）結合されている構造の外部ケースと；
内部に紅参を収容するための収容部を有し、一側が開放されている四角形状で備えられ、内部の各側面の上端部分にスライド溝を備える木材材質の内部胴体と、両側面の縁部分に前記スライド溝に対応するスライド突起を有し、前記スライド突起が前記スライド溝に挿入され、スライド方式で前記収容部を開閉しており、少なくとも一部に透明部分が形成されている内部カバーとを備え、前記外部ケースに挿入される構造の内部ケースとを備えることを特徴とする紅参ケース。
【請求項２】
前記外部胴体は、太陽光の遮断のために、再付着可能な遮断ステッカーが付着されている構造を有することを特徴とする請求項１に記載の紅参ケース。
【請求項３】
前記外部胴体及び前記内部カバーは、紫外線の遮断が可能な透明プラスチック材質を有することを特徴とする請求項１に記載の紅参ケース。
【請求項４】
前記外部胴体及び前記内部カバーは、板状アルミナ（Ｐｌａｔｅｌｅｔ  Ａｌｕｍｉｎａ）がコーティングされるか、又は、板状アルミナ粉末が含まれている透明プラスチック材質を有することを特徴とする請求項１に記載の紅参ケース。
【請求項５】
前記内部カバーは、中央部分に透明プラスチック材質の透明窓を備えることを特徴とする請求項１に記載の紅参ケース。
【考案の詳細な説明】
【技術分野】
【０００１】
本考案は、紅参ケースに関し、より具体的には、包装状態でも内容物である紅参が視覚的に確認可能であり、審美感を有するだけでなく、変質のおそれのない紅参ケースに関する。
【背景技術】
【０００２】
一般に、紅参は高価で販売されており、太陽光に晒されると、褐色などに変質する特性があるため、紅参を包装して陳列するか又は保管するために用いられる紅参ケースは、ステンレススチールなどの金属材質のケースで包装されて販売されている。
【０００３】
しかしながら、高価な紅参製品を購買する消費者は、内部に包装されている内容物である紅参の状態を確認することができず、外部に書かれている説明のみで判断しなければならないため、購買に大変困難を来たし、更に、流通過程で変質した場合に、このことを確認することができないという問題点がある。
【０００４】
紅参は、その製品の特性上、輸出するか、又は、海外からの観光客がお土産として購買するケースが多いが、海外観光客の場合、その状態を確認せずに購買すると、交換や返品が難しいため、購買の際、製品の状態を視覚的に確認して購買することを望むようになる。
【０００５】
したがって、紅参の変質を防止するだけでなく、紅参の形状や保管状態を視覚的に確認することができる紅参ケースに対する必要性が高まっている。
【考案の概要】
【考案が解決しようとする課題】
【０００６】
したがって、本考案の目的は、前記した従来の問題点を乗り越えることができる紅参ケースを提供することにある。
【０００７】
本考案の他の目的は、包装状態でも内容物である紅参の状態を視覚的に確認することができる紅参ケースを提供することにある。
【０００８】
本考案の他の目的は、紅参の変質を防止するだけでなく、装飾効果及び審美感を高めることができ、更に、強度を向上することができる紅参ケースを提供することにある。
【課題を解決するための手段】
【０００９】
前記した技術的課題の一部を達成するための本考案の具体化により、本考案に係る紅参ケースは、上部及び下部が開放され、中空の四角柱形状を有し、透明プラスチック材質を有する外部胴体と、前記外部胴体の上部を閉鎖する上部金属板と、前記外部胴体の下部を閉鎖する下部金属板とを備え、前記外部胴体の上端及び下端が、前記上部金属板及び前記下部金属板の縁部分とシーミング（ｓｅａｍｉｎｇ）結合されている構造の外部ケースと；内部に紅参を収容するための収容部を有し、一側が開放されている四角形状で備えられ、内部の各側面の上端部分にスライド溝を備える木材材質の内部胴体と、両側面の縁部分に前記スライド溝に対応するスライド突起を有し、前記スライド突起が前記スライド溝に挿入され、スライド方式で前記収容部を開閉しており、少なくとも一部に透明部分が形成されている内部カバーとを備え、前記外部ケースに挿入される構造の内部ケースとを備える。
【００１０】
前記外部胴体は、太陽光の遮断のために、再付着可能な遮断ステッカーが付着されている構造を有することができる。
【００１１】
前記外部胴体及び前記内部カバーは、紫外線の遮断が可能な透明プラスチック材質を有することができる。
【００１２】
前記外部胴体及び前記内部カバーは、板状アルミナ（Ｐｌａｔｅｌｅｔ  Ａｌｕｍｉｎａ）がコーティングされるか、又は、板状アルミナ粉末が含まれている透明プラスチック材質を有することができる。
【００１３】
前記内部カバーは、中央部分に透明プラスチック材質の透明窓を備えることができる。
【考案の効果】
【００１４】
本考案によると、包装状態でも内容物である紅参の状態を視覚的に確認することができ、紅参の変質を防止するだけでなく、装飾効果及び審美感を高めることができ、更に、強度を向上することができる。
【図面の簡単な説明】
【００１５】
【図１】本考案の一実施例に係る紅参ケースの概略図。
【図２】図１のケースを取り外した状態の概略図。
【図３】図１の内部ケースの概略図。
【図４】図１の外部ケースのワンタッチタブが形成されている上部金属板又は下部金属板の構成図。
【図５】図２の「Ａ」部分の断面図。
【図６】図１の内部ケースの他の例を示す図。
【考案を実施するための形態】
【００１６】
以下では、本考案の好ましい実施例が、本考案の属する技術分野における通常の知識を有する者に、本考案を徹底して理解してもらうための意図以外には他の意図はなく、添付の図面を参照にして、詳しく説明される。
【００１７】
図１は本考案の一実施例に係る紅参ケースの概略図で、図２は図１のケースを取り外した状態の概略図で、図３は図１の内部ケースの概略図である。
【００１８】
図１乃至図３に示したように、本考案の一実施例に係る紅参ケース５００は、外部ケース１００と内部ケース２００とを備える。
【００１９】
前記外部ケース１００は、外部胴体１１０、上部金属板１２０及び下部金属板１３０の結合で構成される。
前記外部胴体１１０は、上部及び下部が開放され、中空の四角柱形状を有し、前記内部ケース２００が見えるように透明プラスチック（又は透明合成樹脂）材質で構成される。
【００２０】
前記上部金属板１２０は、一般に缶詰めや缶などの材質として用いられるアルミニウムなどの金属材質を有し、前記外部胴体１１０の上端の縁部分とシーミング（ｓｅａｍｉｎｇ）結合され、前記外部胴体１１０の上部を閉鎖するようになる。
【００２１】
シーミング結合は、一般の金属性材質の缶の形成時に用いられる結合方法である。ここにおいて、外部胴体１１０の場合、透明プラスチック材質であるが、透明プラスチックは、金属に比べて、弾性と復元力に優れているため、シーミング作業の過程において、プラスチックはガスケット（ｇａｓｋｅｔ）のような作用をするようになる。これによって、結合部分の密閉性能が優秀で、結合も容易というメリットがある。
【００２２】
シーミング結合は、図２の「Ａ」部分の断面図である図５に示したように、前記上部金属板１２０の縁部分と前記外部胴体１１０の上端の縁部分とを重ね合わせた状態で、端部を巻いて結合するようになる。シーミング結合方法は、通常の技術者にはよく知られているので、これ以上の説明は省略する。
【００２３】
前記下部金属板１３０は、前記上部金属板１２０と対称になる構造で、金属材質を有し、前記外部胴体１１０の下端の縁部分とシーミング（ｓｅａｍｉｎｇ）結合され、前記外部胴体１１０の下部を閉鎖するようになる。前記下部金属板１３０と前記外部胴体１１０との結合は、前記上部金属板１２０と同じくシーミング結合される構造を有する。
【００２４】
前記上部金属板１２０又は前記下部金属板１３０は、前記外部ケース１００に挿入内蔵される前記内部ケース２００を容易に取り出せるように、図４に示したように、ワンタッチで開封することができるタブ１５０を形成する構造を有することができる。
【００２５】
前記内部ケース２００は、内部胴体２１０と内部カバー２２０とを備える。
【００２６】
前記内部胴体２１０は、内部に紅参を収容するための収容部２５０を有し、一側（例えば、前面）が開放されている四角形状で備えられ、収容部２５０の内側面の上端部分にスライド溝２１２を備えており、木材材質で備えられる。
【００２７】
前記内部カバー２２０は、前記収容部を開閉するためのもので、両側面の縁部分に前記スライド溝２１２に対応するスライド突起２２４をそれぞれ有する。
【００２８】
前記内部カバー２２０は、前記スライド突起２２４が前記スライド溝２１２に挿入され、スライド方式で前記収容部２５０を開閉する。
【００２９】
前記内部カバー２２０は、少なくとも一部に透明窓２２２などの透明部分が形成され、前記収容部２５０に収容される紅参の状態を観察することができるようにする。例えば、前記内部カバー２２０は、透明プラスチック材質の透明窓２２２を一部に形成し、透明窓を除いた部分は木材材質で形成することができる。ここにおいて、透明窓２２２は、前記内部カバー２２０の中央部分や他の部分に形成することができる。
【００３０】
他に、図６に示したように、内部カバー２２０の全体が透明プラスチック材質を有するように構成することもできる。
【００３１】
前記内部カバー２２０の一部に透明窓２２２を形成する場合、又は、前記内部カバーの全体が透明プラスチック材質を有する場合には、前記収容部２５０に収容される紅参が太陽光及び紫外線に晒され、変質や変色する可能性がある。
【００３２】
これを防止するために、前記内部カバー２２０の一部に透明窓２２２を形成する場合には、前記透明窓２２２が紫外線の遮断が可能な透明プラスチック材質を有することができ、前記内部カバー２２０の全体が透明プラスチック材質を有する場合には、紫外線の遮断が可能な材質を有することができる。
【００３３】
この場合、前記外部胴体１１０の場合も、紫外線の遮断が可能な透明プラスチック材質を有することができる。
【００３４】
更に、紅参の変色や変質を防止するために、前記外部胴体１１０には、太陽光の遮断のために、再付着可能な遮断ステッカーを付着することができる。ここにおいて、前記遮断ステッカーは、いわゆるポストイット（ｐｏｓｔ  ｉｔ）と呼ばれる付箋紙のように再付着可能に構成することができ、購買を希望する消費者が脱着することで、内部の内容物である紅参の状態を確認してから再付着することができるようにし、紅参の変色や変質を防止するだけでなく、内部の状態が確認できるようにする。ここにおいて、遮断ステッカーは、前記外部胴体１１０の全体をカバーするように付着することもでき、前記内部カバー２２０に対応する部分（例えば、前面部分）のみに付着することも可能である。
【００３５】
他の実施例において、前記外部胴体１１０及び前記内部カバー２１０の透明部分は、板状アルミナ（Ｐｌａｔｅｌｅｔ  Ａｌｕｍｉｎａ）がコーティングされるか、又は、板状アルミナ粉末が含まれている透明プラスチック材質を有することができる。
【００３６】
板状アルミナは、各種のセラミック、研磨材、機能性化粧品、顔料、塗料などの原料としてだけでなく、プラスチック充填材及び紙充填材などとしても幅広く用いられていたが、ケースには用いられなかった。しかしながら、板状アルミナを透明プラスチック材質の外部胴体１１０及び内部カバー２１０に適用する場合、ケースの強度と輝きなどを大幅に増加させ、包装ケースとしての高級感を向上することができる。更に、強度を増加させ、外部の衝撃から紅参を保護することができるようになる。
【００３７】
前記した実施例の説明は、本考案の更なる徹底した理解を得るために、図面を参照にして例をあげたものに過ぎないので、本考案を限定する意味として解釈されてはいけない。また、本考案の属する技術分野における通常の知識を有する者にとって、本考案の基本的原理から逸脱することない範囲内で様々な変化や変更が可能であることは明らかである。
【図１】
0003211480.tif 000003
【図２】
0003211480.tif 000004
【図３】
0003211480.tif 000005
【図４】
0003211480.tif 000006
【図５】
0003211480.tif 000007
【図６】
0003211480.tif 000008